(57)【要約】【課題】通信アドレスを用いることなく、将来時点の位置等の条件を指定することにより、当該条件を満たす通信相手を特定し、当該通信相手と通信を行うことを可能とする。【解決手段】位置登録装置と、条件指定通信制御装置とを備える情報通信システムにおいて、前記位置登録装置は、移動機の位置情報を保持する手段を備え、前記条件指定通信制御装置は、利用者端末から、将来時刻と当該将来時刻における指定位置の情報とを含む条件指定通信要求を受信し、当該条件指定通信要求をデータベースに格納する手段と、前記位置登録装置が保持する位置情報に基づいて、前記条件指定通信要求により指定された前記将来時刻において前記指定位置を含む所定の領域に存在する移動機を特定する手段と、前記条件指定通信要求に対応する通信が可能であることを示す指定条件通信可能通知を前記利用者端末に送信する手段と、を備えるように構成する。【選択図】図１
2016171489.tif 000002
【特許請求の範囲】
【請求項１】
位置登録装置と、当該位置登録装置とネットワークを介して通信可能な条件指定通信制御装置とを備える情報通信システムであって、
前記位置登録装置は、移動機の位置情報を保持する手段を備え、
前記条件指定通信制御装置は、
利用者端末から、将来時刻と当該将来時刻における指定位置の情報とを含む条件指定通信要求を受信し、当該条件指定通信要求をデータベースに格納する手段と、
前記位置登録装置が保持する位置情報に基づいて、前記条件指定通信要求により指定された前記将来時刻において前記指定位置を含む所定の領域に存在する移動機を特定する手段と、
前記条件指定通信要求に対応する通信が可能であることを示す指定条件通信可能通知を前記利用者端末に送信する手段と、を備える
ことを特徴とする情報通信システム。
【請求項２】
位置登録装置と、当該位置登録装置とネットワークを介して通信可能な条件指定通信制御装置とを備える情報通信システムであって、
前記位置登録装置は、移動機の位置情報を保持する手段を備え、
前記条件指定通信制御装置は、
利用者端末から、将来時刻と当該将来時刻における指定位置の情報とを含む条件指定通信要求を受信し、当該条件指定通信要求をデータベースに格納する手段と、
前記位置登録装置が保持する位置情報に基づいて、前記条件指定通信要求により指定された前記将来時刻において前記指定位置を含む所定の領域に存在する移動機を検出し、検出された移動機に対して位置要求信号を送信し、当該位置要求信号に対する応答として得られた位置情報に基づいて、前記指定位置に該当する位置に存在する移動機を特定する手段と、
前記条件指定通信要求に対応する通信が可能であることを示す指定条件通信可能通知を前記利用者端末に送信する手段と、を備える
ことを特徴とする情報通信システム。
【請求項３】
前記指定条件通信可能通知は、前記特定された移動機の通信宛先名を含む
ことを特徴とする請求項１又は２に記載の情報通信システム。
【請求項４】
移動機の位置情報を保持する位置登録装置と、当該位置登録装置とネットワークを介して通信可能な条件指定通信制御装置とを備える情報通信システムにおける前記条件指定通信制御装置であって、
利用者端末から、将来時刻と当該将来時刻における指定位置の情報とを含む条件指定通信要求を受信し、当該条件指定通信要求をデータベースに格納する手段と、
前記位置登録装置が保持する位置情報に基づいて、前記条件指定通信要求により指定された前記将来時刻において前記指定位置を含む所定の領域に存在する移動機を特定する手段と、
前記条件指定通信要求に対応する通信が可能であることを示す指定条件通信可能通知を前記利用者端末に送信する手段と、
を備えることを特徴とする条件指定通信制御装置。
【請求項５】
移動機の位置情報を保持する位置登録装置と、当該位置登録装置とネットワークを介して通信可能な条件指定通信制御装置とを備える情報通信システムにおける前記条件指定通信制御装置であって、
利用者端末から、将来時刻と当該将来時刻における指定位置の情報とを含む条件指定通信要求を受信し、当該条件指定通信要求をデータベースに格納する手段と、
前記位置登録装置が保持する位置情報に基づいて、前記条件指定通信要求により指定された前記将来時刻において前記指定位置を含む所定の領域に存在する移動機を検出し、検出された移動機に対して位置要求信号を送信し、当該位置要求信号に対する応答として得られた位置情報に基づいて、前記指定位置に該当する位置に存在する移動機を特定する手段と、
前記条件指定通信要求に対応する通信が可能であることを示す指定条件通信可能通知を前記利用者端末に送信する手段と、を備える
ことを特徴とする条件指定通信制御装置。
【請求項６】
移動機の位置情報を保持する位置登録装置と、当該位置登録装置とネットワークを介して通信可能な条件指定通信制御装置とを備える情報通信システムにおける前記条件指定通信制御装置が実行する条件指定通信制御方法であって、
利用者端末から、将来時刻と当該将来時刻における指定位置の情報とを含む条件指定通信要求を受信し、当該条件指定通信要求をデータベースに格納するステップと、
前記位置登録装置が保持する位置情報に基づいて、前記条件指定通信要求により指定された前記将来時刻において前記指定位置を含む所定の領域に存在する移動機を特定するステップと、
前記条件指定通信要求に対応する通信が可能であることを示す指定条件通信可能通知を前記利用者端末に送信するステップと、
を備えることを特徴とする条件指定通信制御方法。
【請求項７】
移動機の位置情報を保持する位置登録装置と、当該位置登録装置とネットワークを介して通信可能な条件指定通信制御装置とを備える情報通信システムにおける前記条件指定通信制御装置が実行する条件指定通信制御方法であって、
利用者端末から、将来時刻と当該将来時刻における指定位置の情報とを含む条件指定通信要求を受信し、当該条件指定通信要求をデータベースに格納するステップと、
前記位置登録装置が保持する位置情報に基づいて、前記条件指定通信要求により指定された前記将来時刻において前記指定位置を含む所定の領域に存在する移動機を検出し、検出された移動機に対して位置要求信号を送信し、当該位置要求信号に対する応答として得られた位置情報に基づいて、前記指定位置に該当する位置に存在する移動機を特定するステップと、
前記条件指定通信要求に対応する通信が可能であることを示す指定条件通信可能通知を前記利用者端末に送信するステップと、を備える
ことを特徴とする条件指定通信制御方法。
【請求項８】
コンピュータを、請求項４又は５に記載の条件指定通信制御装置における各手段として機能させるためのプログラム。
【発明の詳細な説明】
【技術分野】
【０００１】
本発明は、通信アドレスを用いることなく、将来時点の位置を指定し、その条件を満たす相手先と通信を行う通信サービスに関連するものである。
【背景技術】
【０００２】
従来の情報通信ネットワークシステムでは、論理空間上のアドレスにより、通信対象を指定している。固定電話では電話番号、インターネットではＩＰアドレスが、それにあたり、これらは、ネットワーク上の位置とも対応しているので、その位置に接続することで通信が可能となる。
【０００３】
携帯電話の電話番号やインターネットでのＵＲＬは、より上位の論理アドレス、ＩＤと言える。これらは、通信相手や情報の論理位置を示すが、ネットワーク上の接続位置は示していないため、前者ではＬＲ（ロケーションレジスタ）、後者ではＤＮＳ（ドメインネームサーバ）により、ネットワーク上の接続位置を示すアドレスへの変換が必要となる。変換後のアドレスを用い、通信対象と接続する（非特許文献１、２）。
【０００４】
しかし、上記の技術では、物理的位置により、情報通信サービスを提供することができない。例えば、ある地点に物を落とした人がいて、その人に連絡をしようとして、「今、ここを通った人」と通信することは困難であると言った課題がある。
【０００５】
そこで、ＧＰＳ（Ｇｌｏｂａｌ  Ｐｏｓｉｔｉｏｎｉｎｇ  Ｓｙsｔｅｍ）付き携帯電話機等の位置特定機能を有する通信機器を持つ人に対して通信を行う、あるいは、物に対して情報取得を行う技術が提案されている（特許文献１）。また、事前に装置種別や状態の履歴等と通信アドレスを登録するという条件のもとで、通信相手を通信アドレスではなく、登録した装置種別や状態の履歴等で指定する技術が提案されている（特許文献２）。
【０００６】
また、Ｇｏｏｇｌｅ（登録商標）等では、移動機に測位した自位置を定期的に通知させるアプリを入れることにより、位置情報サービス（ｌｏｃａｔｉｏｎ−ｂａｓｅｄ  ｓｅｒｖｉｃｅ）を提供している。当該サービスでは、移動機の周辺地図の提供や、周辺位置での諸々の情報を提供する。
【先行技術文献】
【特許文献】
【０００７】
【特許文献１】特開２０１３−９８８９３公開公報
【特許文献２】特開２０１５−１２５７６公開公報
【非特許文献】
【０００８】
【非特許文献１】弓場英明監修、未来ねっと技術シリーズ  ユビキタスネットワーク技術、電気通信協会、２００３
【非特許文献２】鈴木滋彦監修、やさしいＮＧＮ／ＩＰネットワーク技術箱、電気通信協会、２００９
【発明の概要】
【発明が解決しようとする課題】
【０００９】
しかしながら、特許文献１に開示された従来技術では、現在の位置情報以外の条件による位置指定通信が困難であった。また、特許文献２やｌｏｃａｔｉｏｎ−ｂａｓｅｄ  ｓｅｒｖｉｃｅ等の従来技術では、事前登録された条件で通信相手を指定するが、通信先の通信アドレスは既知であり、また、この条件が位置情報である場合には、好適でない。
【００１０】
本発明は上記の点に鑑みてなされたものであり、通信アドレスを用いることなく、将来時点の位置等の条件を指定することにより、当該条件を満たす通信相手を特定し、当該通信相手と通信を行うことを可能とする技術を提供することを目的とする。
【課題を解決するための手段】
【００１１】
本発明の実施の形態によれば、位置登録装置と、当該位置登録装置とネットワークを介して通信可能な条件指定通信制御装置とを備える情報通信システムであって、
前記位置登録装置は、移動機の位置情報を保持する手段を備え、
前記条件指定通信制御装置は、
利用者端末から、将来時刻と当該将来時刻における指定位置の情報とを含む条件指定通信要求を受信し、当該条件指定通信要求をデータベースに格納する手段と、
前記位置登録装置が保持する位置情報に基づいて、前記条件指定通信要求により指定された前記将来時刻において前記指定位置を含む所定の領域に存在する移動機を特定する手段と、
前記条件指定通信要求に対応する通信が可能であることを示す指定条件通信可能通知を前記利用者端末に送信する手段と、を備える
ことを特徴とする情報通信システムが提供される。
【００１２】
また、本発明の実施の形態によれば、位置登録装置と、当該位置登録装置とネットワークを介して通信可能な条件指定通信制御装置とを備える情報通信システムであって、
前記位置登録装置は、移動機の位置情報を保持する手段を備え、
前記条件指定通信制御装置は、
利用者端末から、将来時刻と当該将来時刻における指定位置の情報とを含む条件指定通信要求を受信し、当該条件指定通信要求をデータベースに格納する手段と、
前記位置登録装置が保持する位置情報に基づいて、前記条件指定通信要求により指定された前記将来時刻において前記指定位置を含む所定の領域に存在する移動機を検出し、検出された移動機に対して位置要求信号を送信し、当該位置要求信号に対する応答として得られた位置情報に基づいて、前記指定位置に該当する位置に存在する移動機を特定する手段と、
前記条件指定通信要求に対応する通信が可能であることを示す指定条件通信可能通知を前記利用者端末に送信する手段と、を備える
ことを特徴とする情報通信システムが提供される。
【００１３】
また、本発明の実施の形態によれば、移動機の位置情報を保持する位置登録装置と、当該位置登録装置とネットワークを介して通信可能な条件指定通信制御装置とを備える情報通信システムにおける前記条件指定通信制御装置であって、
利用者端末から、将来時刻と当該将来時刻における指定位置の情報とを含む条件指定通信要求を受信し、当該条件指定通信要求をデータベースに格納する手段と、
前記位置登録装置が保持する位置情報に基づいて、前記条件指定通信要求により指定された前記将来時刻において前記指定位置を含む所定の領域に存在する移動機を特定する手段と、
前記条件指定通信要求に対応する通信が可能であることを示す指定条件通信可能通知を前記利用者端末に送信する手段と、
を備えることを特徴とする条件指定通信制御装置が提供される。
【００１４】
また、本発明の実施の形態によれば、移動機の位置情報を保持する位置登録装置と、当該位置登録装置とネットワークを介して通信可能な条件指定通信制御装置とを備える情報通信システムにおける前記条件指定通信制御装置であって、
利用者端末から、将来時刻と当該将来時刻における指定位置の情報とを含む条件指定通信要求を受信し、当該条件指定通信要求をデータベースに格納する手段と、
前記位置登録装置が保持する位置情報に基づいて、前記条件指定通信要求により指定された前記将来時刻において前記指定位置を含む所定の領域に存在する移動機を検出し、検出された移動機に対して位置要求信号を送信し、当該位置要求信号に対する応答として得られた位置情報に基づいて、前記指定位置に該当する位置に存在する移動機を特定する手段と、
前記条件指定通信要求に対応する通信が可能であることを示す指定条件通信可能通知を前記利用者端末に送信する手段と、を備える
ことを特徴とする条件指定通信制御装置が提供される。
【００１５】
また、本発明の実施の形態によれば、移動機の位置情報を保持する位置登録装置と、当該位置登録装置とネットワークを介して通信可能な条件指定通信制御装置とを備える情報通信システムにおける前記条件指定通信制御装置が実行する条件指定通信制御方法であって、
利用者端末から、将来時刻と当該将来時刻における指定位置の情報とを含む条件指定通信要求を受信し、当該条件指定通信要求をデータベースに格納するステップと、
前記位置登録装置が保持する位置情報に基づいて、前記条件指定通信要求により指定された前記将来時刻において前記指定位置を含む所定の領域に存在する移動機を特定するステップと、
前記条件指定通信要求に対応する通信が可能であることを示す指定条件通信可能通知を前記利用者端末に送信するステップと、
を備えることを特徴とする条件指定通信制御方法が提供される。
【００１６】
また、本発明の実施の形態によれば、移動機の位置情報を保持する位置登録装置と、当該位置登録装置とネットワークを介して通信可能な条件指定通信制御装置とを備える情報通信システムにおける前記条件指定通信制御装置が実行する条件指定通信制御方法であって、
利用者端末から、将来時刻と当該将来時刻における指定位置の情報とを含む条件指定通信要求を受信し、当該条件指定通信要求をデータベースに格納するステップと、
前記位置登録装置が保持する位置情報に基づいて、前記条件指定通信要求により指定された前記将来時刻において前記指定位置を含む所定の領域に存在する移動機を検出し、検出された移動機に対して位置要求信号を送信し、当該位置要求信号に対する応答として得られた位置情報に基づいて、前記指定位置に該当する位置に存在する移動機を特定するステップと、
前記条件指定通信要求に対応する通信が可能であることを示す指定条件通信可能通知を前記利用者端末に送信するステップと、を備える
ことを特徴とする条件指定通信制御方法が提供される。
【発明の効果】
【００１７】
本発明の実施の形態によれば、通信アドレスを用いることなく、将来時点の位置等の条件を指定することにより、当該条件を満たす通信相手を特定し、当該通信相手と通信を行うことを可能とする技術が提供される。
【図面の簡単な説明】
【００１８】
【図１】本発明の実施の形態に係る情報通信システムの構成図である。
【図２】位置登録における動作例を説明するためのシーケンス図である。
【図３】位置登録装置４０２が保持する位置情報の例を示す図である。
【図４】サービス利用時における動作例１を説明するためのシーケンス図である。
【図５】データベース２０２に登録される情報の例を示す図である。
【図６】サービス利用時における動作例２を説明するためのシーケンス図である。
【発明を実施するための形態】
【００１９】
以下、図面を参照して本発明の実施の形態を説明する。なお、以下で説明する実施の形態は一例に過ぎず、本発明が適用される実施の形態は、以下の実施の形態に限られるわけではない。
【００２０】
（システム構成）
図１に、本実施の形態における情報通信システムの構成図を示す。図１に示すように、本実施の形態における情報通信システムは、移動機１０１、サービスセンタ装置２０１、サービス利用者端末３０１、及び位置登録装置４０２を有する。移動機１０１、サービスセンタ装置２０１、サービス利用者端末３０１、及び位置登録装置４０２は、それぞれネットワーク４０１に接続され、当該ネットワーク４０１を介して通信を行う通信機能を有している。
【００２１】
移動機１０１は、サービス利用者（サービス利用者端末３０１）が通信する通信先の装置である。移動機１０１は、携帯電話機等の無線通信を行う装置に限られず、ＰＣ等の有線でネットワークに接続する装置であってもよい。
【００２２】
サービスセンタ装置２０１は、本実施の形態における条件指定通信の制御を行う装置である。サービスセンタ装置２０１の構成及び動作については後に詳細に説明する。なお、サービスセンタ装置２０１は条件指定通信の制御を実施する装置であるので、これを条件指定通信制御装置と称してもよい。
【００２３】
サービス利用者端末３０１は、本実施の形態におけるサービス利用者が移動機１０１等と通信を行うために使用する装置の１つであり、例えば電話機、パソコン等である。ネットワーク４０１は単一のネットワークである必要はなく、複数のネットワークを接続したネットワーク（例：携帯電話網とインターネットを接続したネットワーク）であってもよい。また、本実施の形態に係る通信サービスは、公衆サービスとしても、特定組織内サービスとしても実現可能である。つまり、ネットワーク４０１は、インターネット等を含む公衆のネットワークであってもよいし、特定組織に閉じたプライベートネットワークであってもよい。
【００２４】
本実施の形態におけるネットワーク４０１は、ＬＴＥ等の無線通信機能を持つセルラー基地局を備え、移動機１０１は当該セルラー基地局と無線通信を行う。また、ネットワーク４０１は、例えば公衆無線ＬＡＮサービスを提供する無線ＬＡＮ−ＡＰ（アクセスポイント）を備えてもよく、移動機１０１は当該無線ＬＡＮ−ＡＰと無線通信を行うこともできる。セルラー基地局、無線ＬＡＮ−ＡＰ等、移動機１０１と無線通信を行う装置を総称して「基地局」と呼ぶ。
【００２５】
位置登録装置４０２は、移動機１０１の位置情報を受信し、位置情報を登録・保持する手段を備える装置である。
【００２６】
（位置登録の動作例）
本実施の形態では、移動機の位置情報が位置登録装置４０２に随時登録され、サービスセンタ装置２０１が当該位置情報に基づいて、通信要求の条件に合致する通信宛先を探す動作を実行する。そこで、まず、位置登録装置４０２における位置登録の動作例を図２のシーケンス図を参照して説明する。
【００２７】
基地局の無線エリアに在圏する移動機１０１は、基地局から報知信号を受信する（ステップ１０１）。当該報知信号には基地局ＩＤ（例：セルラー基地局のＩＤ、無線ＬＡＮ−ＡＰのＩＤ）が含まれている。当該報知信号を受信した移動機１０１は、当該報知信号に含まれる基地局ＩＤと、現在、移動機１０１が保持する基地局ＩＤとを比較し、これらが異なる場合は、移動機１０１の保持する基地局ＩＤを新たなものに更新する（ステップ１０２）。なお、移動機１０１は、受信した報知信号に含まれる基地局ＩＤと、保持している基地局ＩＤとが異なるか否かに関わらず、一定時間毎に、保持する基地局ＩＤを、受信した報知信号に含まれる基地局ＩＤで更新することとしてもよい。
【００２８】
移動機１０１は、ステップ１０２において基地局ＩＤを更新するとともに、位置登録装置４０２に対し、移動機１０１の自位置の更新メッセージを送信する（ステップ１０３）。当該更新メッセージには、移動機１０１を特定する移動機ＩＤ、及び、現在保持する基地局ＩＤが含まれる。
【００２９】
更新メッセージを受信した位置登録装置４０２は、保持する移動機１０１の位置情報を更新して保持する（ステップ１０４）。位置登録装置４０２が保持する位置情報の構造の例を図３に示す。図３に示すように、位置登録装置４０２は、位置情報として、移動機ＩＤ、通信宛先名、及び在圏ＩＤを対応付けて保持する。通信宛先名は、例えば、携帯電話であれば携帯電話番号等の当該移動機と通信するときに宛先として使用される名前である。また、在圏ＩＤは、所定の地理的領域を示すＩＤに相当し、更新メッセージに含まれる基地局ＩＤそのものであってもよいし、当該基地局ＩＤの基地局が存在する地理的領域に対して予め付されたＩＤであってもよい。
【００３０】
また、移動機１０１が複数の基地局（セルラー基地局や無線ＬＡＮ−ＡＰ等）を検出できる場合、移動機１０１が、複数の基地局ＩＤを更新メッセージとして位置登録装置４０２に送信し、位置登録装置４０２がこれら複数の基地局ＩＤに基づき、１つの移動機１０１に対して複数の在圏ＩＤを登録することとしてもよい。これにより、位置の粒度を上げることができる。
【００３１】
また、移動機１０１がＧＰＳ機能を備える場合、移動機１０１は、ＧＰＳにより一定時間毎に自位置の測位を行い、更新メッセージに移動機ＩＤと測位結果とを含めて位置登録装置４０２に通知することとしてもよい。
【００３２】
ＧＰＳによる測位結果の位置情報（緯度・経度）を受信した位置登録装置４０２は、当該位置情報（緯度・経度）を、予め定められた地理的領域に当てはめる。各地理的領域にはＩＤが振られており、これを在圏ＩＤとして用いることにより、当該位置情報を在圏ＩＤに変換して保持する。この在圏ＩＤは、地理的領域の代表点の緯度・経度等でもよい。緯度・経度の粒度が粗ければ、緯度・経度をそのまま在圏ＩＤとすることもできる。
【００３３】
なお、上記の例は、移動機１０１が無線により基地局にアクセスする例であるが、本実施の形態はこれに限られない。例えば、移動機１０１は有線アクセス網に接続されてもよい。この場合、移動機１０１を移動させ、移動先の有線アクセス網に接続する度に、移動機１０１は位置登録装置４０２に更新メッセージを通知することにより位置登録を行う。この場合、更新メッセージには、移動機ＩＤと、有線アクセス網の加入者線ＩＤが含まれ、位置登録装置４０２は当該加入者線ＩＤを在圏ＩＤとして登録する。また、加入者線ＩＤから特定される地理的領域のＩＤを在圏ＩＤとして登録することとしてもよい。
【００３４】
（サービスセンタ装置２０１の構成例）
次に、本実施の形態に係る通信サービスの制御を行うサービスセンタ装置２０１の構成を説明する。既に図１に示したように、本実施の形態に係るサービスセンタ装置２０１は、データベース２０２、登録部２０３、指定条件起動部２０４、サービスポータル２０５を含む。各機能部の概要は以下のとおりである。
【００３５】
データベース２０２は、サービス利用者端末３０１等から受信する条件指定通信要求の情報等を格納する記憶部である。登録部２０３は、当該条件指定通信要求の情報をデータベース２０２に登録（格納）する機能部である。登録部２０３は、各セルラー基地局・無線ＬＡＮ−ＡＰ等の設備の位置（緯度・経度、住所等）の情報を保持し、緯度・経度、住所等から、その位置情報をカバーする基地局ＩＤ（セルラー基地局のＩＤ、無線ＬＡＮ−ＡＰのＩＤ等）を得ることができる。当該得られた基地局ＩＤを在圏ＩＤとして登録することができる。
【００３６】
指定条件起動部２０４は、条件指定通信要求により指定された指定時刻に位置登録装置４０２に格納されている位置情報を検索し、通信相手候補を探す機能を含む。サービスポータル２０５は、位置指定通信申し込みの受け付け、及び、その回答を行う機能を含む。
【００３７】
本実施の形態に係るサービスセンタ装置２０１は、コンピュータに、本実施の形態で説明する処理内容を記述したプログラムを実行させることにより実現可能である。すなわち、サービスセンタ装置２０１が有する機能は、当該コンピュータに内蔵されるＣＰＵやメモリ、ハードディスクなどのハードウェア資源を用いて、サービスセンタ装置２０１で実施される処理に対応するプログラムを実行することによって実現することが可能である。また、上記プログラムは、コンピュータが読み取り可能な記録媒体（可搬メモリ等）に記録して、保存したり、配布したりすることが可能である。また、上記プログラムをインターネットや電子メールなど、ネットワークを通して提供することも可能である。
【００３８】
なお、図１に示したサービスセンタ装置２０１の構成は一例に過ぎず、装置内の機能区分や機能名称は図１に示したものに限られない。
【００３９】
（サービス利用時における動作例１）
次に、図４に示すシーケンス図を参照して、本実施の形態に係る通信サービスの利用時における動作例１について説明する。
【００４０】
まず、サービス利用者は、例えばサービス利用者端末３０１から、自身の通信アドレスと位置情報の指定内容をサービスセンタ装置２０１のサービスポータル２０５に送信することにより、条件指定通信を申し込む。つまり、サービス利用者端末３０１は条件指定通信要求をサービスセンタ装置２０１に送信する（ステップ２０１）。
【００４１】
当該条件指定通信要求によりサービス利用者端末３０１から指定される指定条件の内容は、条件数で指定された数の（将来時刻、将来時刻での位置）である。（将来時刻、将来時刻での位置）は、一例として、サービス利用者が、「将来時刻」に、「将来時刻での位置」に存在する通信相手と通信することを要求していることを意味する。
【００４２】
上記の「将来時刻」の指定は、単一の時刻の指定でもよいし、幅を持った時間帯の指定（例：２０１５年１月１０日、１３：００−１４：００）でもよい。複数条件は、個々の条件と当該個々の条件をどのような論理で接続するかを示すＡＮＤ／ＯＲで指定することとしてもよいし、ＡＮＤ／ＯＲを用いた論理式で指定してもよい。
【００４３】
また、「将来時刻での位置」における位置情報の指定に関し、本実施の形態では、位置情報の指定方法を、条件指定通信要求時に指定することとしている。すなわち、位置を指定する際に、位置情報とともに、当該位置情報を緯度・経度、住所等のどの方法により指定しているかを表す情報を含める。位置情報は、緯度・経度、住所等の他、範囲を指定するもの、例えば、武蔵野市、でもよい。
【００４４】
図４のステップ２０２において、サービスセンタ装置２０１の登録部２０３は、当該条件指定通信要求を受信して得た指定内容をデータベース２０２に登録する。ここでは、登録部２０３は、条件指定通信要求により指定された位置情報を、在圏ＩＤの形に変換して、データベース２０２に登録する。
【００４５】
図５に、データベース２０２に登録される情報の例を示す。図５に示すように、データベース２０２には、条件指定通信要求ＩＤ、条件数および条件の論理式、位置指定方法、各条件が登録される。各条件は、将来時刻、位置、在圏ＩＤを含む。条件指定通信要求ＩＤは、登録部２０３により付されるＩＤである。なお、図５に示す例では、位置登録装置４０２の検索で得られた通信宛先名が登録されているが、条件指定通信要求を登録する時点では、通信宛先名は登録されていない。
【００４６】
図４のステップ２０３において、登録部２０３は、指定条件起動部２０４に、条件指定通信要求ＩＤと在圏ＩＤを登録し、それに対応する将来時刻をタイマー設定する。位置情報として範囲を指定した場合等においては、在圏ＩＤは複数となる。
【００４７】
指定条件起動部２０４は、当該将来時刻にタイマー起動される。つまり、指定条件起動部２０４は、タイマーにより当該将来時刻が到来したことを検知し、検索処理を開始する（ステップ２０４）。
【００４８】
指定条件起動部２０４は、対応する在圏ＩＤに在圏する移動機を位置登録装置４０２で検索し（ステップ２０５）、検索された移動機（通信宛先名）をデータベース２０２に登録する（ステップ２０６）。図５には、検索結果の例として通信宛先名１、２が示されている。
【００４９】
検索方法は上記の例に限られない。例えば、サービスセンタ装置２０１から位置登録装置４０２に対して、在圏ＩＤと将来時刻（時間帯等）を登録し、位置登録装置４０２が、登録時間帯開始時に登録在圏ＩＤに存圏する移動機、あるいは、その後登録時間帯に登録在圏ＩＤの位置情報を登録する移動機を検出し、検出した移動機の通信宛先名をサービスセンタ装置２０１のデータベース２０２に通知し、登録する方法でもよい。
【００５０】
指定条件起動部２０４は、全条件での検索を終了した後に、それらの論理式により、条件に合致する移動機（通信宛先名）を特定する（ステップ２０７）。続いて、サービスポータル２０５は、サービス利用者の通信アドレスに対して、特定された通信宛先名を含む指定条件通信可能通知を送信する（ステップ２０８）。本実施の形態では、指定条件通信可能通知はサービス利用者端末３０１に届く。
【００５１】
サービス利用者端末３０１により当該通信宛先名を受信したサービス利用者は、その通信宛先名と通信することで、所望の通信を実現する（ステップ２０９）。図４は、特定された通信宛先名が移動機１０１である場合を示している。また、図４の例では、サービス利用者は、サービス利用者端末３０１を用いて移動機１０１と通信を行うが、これは例であり、サービス利用者は、他の端末を用いて移動機１０１と通信を行うこととしてもよい。
【００５２】
上記の例では、サービスポータル２０５は、通信宛先名をサービス利用者の通信アドレスに対して送信しているが、サービスポータル２０５は、サービス利用者が予め登録した情報を、サービス利用者の通信アドレスに対して送信することとしてもよい。当該情報のことを指定条件通信可能通知と称してもよい。
【００５３】
図４の例のように、通信宛先名を直接サービス利用者に開示することは、プライバシーの点で懸念が生じる可能性がある。その場合は、ネットワークが仲立ちをすることで直接通信宛先名が送信者（サービス利用者）に開示されないようにすることもできる。例えば、電子メール等の通信であれば、送信者（サービス利用者）は、条件に合致する通信宛先名を含まない指定条件通信可能通知をサービスポータル２０５から受信したら、サービスポータル２０５宛に、メールを送り、サービスポータル２０５は、当該メールの送信者をサービスポータル２０５とし、宛先を条件に合致する通信宛先名にして送信することとしてもよい。返信時は、これと逆な手順を踏む。すなわち、宛先のユーザは当該ユーザの端末から、返信のメールをサービスポータル２０５宛に送信し、サービスポータル２０５は、当該メールの送信者をサービスポータル２０５とし、当該メールを送信者（サービス利用者）の端末に送信する。
【００５４】
（サービス利用時における動作例２）
動作例１では、サービス利用者からの要求に係る位置情報を在圏ＩＤに変換し、当該在圏ＩＤを通信相手を検出する条件として用いている。この方法では、サービス利用者の所望する位置情報指定の粒度が在圏ＩＤの粒度、すなわち、基地局のセル等の大きさ程度である場合には問題ないが、それより小さい粒度が必要な場合は、動作例１では対応できない。
【００５５】
そこで、基地局のセル等の大きさよりも小さい粒度での通信相手の検出を行う動作例を動作例２として説明する。以下では、動作例１と異なる動作を主に説明する。
【００５６】
動作例２において、移動機１０１は、ＧＰＳ機能等により、細かな粒度で自位置を特定することが可能とする。細かな粒度で位置を特定する方法はＧＰＳを利用する方法に限られない。例えば、移動機１０１は、位置の目安となる位置報知装置（ビーコン等を出し、位置情報のＩＤを通知する装置）や、自宅・店舗等に設置されたアクセスポイントやフェムトセル基地局等から発信されるＩＤを取得することで粒度の細かい測位を行うことも可能である。移動機１０１は、ＧＰＳ、あるいは、これらのＩＤから緯度・経度を得るものとする。更に、動作例２では、移動機１０１は、本実施の形態に係るサービスに対して、位置応答契約を結んでいるものとし、サービスポータル２０５が位置要求信号を送信すると、それに対して、自位置の緯度・経度を含む位置応答信号を返信するものとする。
【００５７】
動作例２の処理手順を図６のシーケンス図を参照して説明する。図６において、ステップ２０１〜２０５の動作は動作例１（図４）におけるステップ２０１〜２０５の動作と同じである。
【００５８】
指定条件起動部２０４は、ステップ２０５における検索で得られた通信宛先名（図６の例では移動機１０１）に対して、位置要求信号を送信し（ステップ３０１）、その返信として、位置情報（緯度・経度）を受信する（ステップ３０２）。
【００５９】
指定条件起動部２０４は、ステップ３０２で得られた緯度・経度から条件に合致する移動機（通信宛先名）をデータベース２０２に登録する（ステップ３０３）。ここでの「条件に合致する移動機」とは、例えば、サービス利用者からの条件指定通信要求で指定された位置（緯度・経度）から所定の閾値以下の距離の範囲内にある位置（緯度・経度）の移動機である。
【００６０】
ステップ３０１〜３０３は、ステップ２０５で得られた各条件に合致する移動機毎に実施される。
【００６１】
全条件についてステップ３０１〜３０３の処理が終了した後、指定条件起動部２０４は、条件指定通信要求で指定されている論理式により、条件に合致する移動機（通信宛先名）を特定する（ステップ３０４）。サービスポータル２０５は、特定された通信宛先名を含む指定条件通信可能通知をサービス利用者の通信アドレスに対して送信し（ステップ３０５）、当該通信宛先名を受信したサービス利用者は、その通信宛先名と通信することで、所望の通信を実現する（ステップ３０６）。ステップ３０５、ステップ３０６は一例であり、前述したように、通信宛先名をサービス利用者に通知せずに、サービスポータル２０５を経由した通信を行うこととしてもよいし、予め登録した情報をサービス利用者に通知してもよい。
【００６２】
（実施の形態のまとめ、効果）
以上、説明したように、本実施の形態により、位置登録装置と、当該位置登録装置とネットワークを介して通信可能な条件指定通信制御装置とを備える情報通信システムが提供される。
【００６３】
前記位置登録装置は、移動機の位置情報を保持する手段を備える。前記条件指定通信制御装置は、利用者端末から、将来時刻と当該将来時刻における指定位置の情報とを含む条件指定通信要求を受信し、当該条件指定通信要求をデータベースに格納する手段と、前記位置登録装置が保持する位置情報に基づいて、前記条件指定通信要求により指定された前記将来時刻において前記指定位置を含む所定の領域に存在する移動機を特定する手段と、前記条件指定通信要求に対応する通信が可能であることを示す指定条件通信可能通知を前記利用者端末に送信する手段と、を備える。
【００６４】
なお、前記位置登録装置が保持する位置情報に基づいて、前記条件指定通信要求により指定された前記将来時刻において前記指定位置を含む所定の領域に存在する移動機を特定する手段に代えて、もしくは、当該手段に加えて、前記位置登録装置が保持する位置情報に基づいて、前記条件指定通信要求により指定された前記将来時刻において前記指定位置を含む所定の領域に存在する移動機を検出し、検出された移動機に対して位置要求信号を送信し、当該位置要求信号に対する応答として得られた位置情報に基づいて、前記指定位置に該当する位置に存在する移動機を特定する手段を備えてもよい。
【００６５】
本実施の形態の技術により、通信アドレスを用いることなく、将来時点の位置等の条件を指定することにより、当該条件を満たす通信相手を特定し、当該通信相手と通信を行うことが可能となる。
【００６６】
また、本実施の形態の技術により、例えば今後１週間、毎日来店した顧客にだけ、お得情報を提供する等のサービスを提供することも可能となる。
【００６７】
本発明は、上記の実施の形態に限定されることなく、特許請求の範囲内において、種々変更・応用が可能である。
【符号の説明】
【００６８】
１０１  移動機
２０１  サービスセンタ装置
２０２  データベース
２０３  登録部
２０４  指定条件起動部
２０５  サービスポータル
３０１  サービス利用者端末
４０１  ネットワーク
４０２  位置登録装置
【図１】
2016171489.tif 000003
【図２】
2016171489.tif 000004
【図３】
2016171489.tif 000005
【図４】
2016171489.tif 000006
【図５】
2016171489.tif 000007
【図６】
2016171489.tif 000008